(57)【要約】【課題】本体電極とカートリッジ電極とを確実に電気的に接続することができる画像形成装置を提供すること。【解決手段】  画像形成装置１は、メモリ電気接点４２を有する現像カートリッジと、本体電気接点４８を有するコネクタとを備える。現像カートリッジは、画像形成装置１に装着された状態で画像形成装置１に対して移動可能である。コネクタは、本体電気接点４８がメモリ電気接点４２に電気的に接続される接続位置と、本体電気接点４８とメモリ電気接点４２との電気的な接続が解除される接続解除位置との間を移動可能である。画像形成装置１は、さらに、押圧部材を備える。押圧部材は、コネクタが接続解除位置から接続位置に移動するときに、コネクタを、接続解除位置から接続位置へ向かう接続方向へ押圧する。【選択図】図８
2017181882.tif 000002
【特許請求の範囲】
【請求項１】
開口を有する本体ケーシングと、
前記開口を開放する開位置と、前記開口を閉鎖する閉位置との間を移動可能なカバーと、
感光ドラムと、
現像ローラと、メモリ電気接点を有する記憶媒体と、を備え  前記開口を介して前記本体ケーシングに着脱可能な現像カートリッジと、
前記現像カートリッジが前記本体ケーシングに装着され、かつ、前記カバーが閉位置に位置しているときに、前記現像ローラが感光ドラムに接触する接触位置と、前記現像ローラが前記感光ドラムから離間する離間位置との間で、前記現像カートリッジを移動させるように構成される離間部材と、
前記カバーに支持されるコネクタであって、前記現像カートリッジが前記本体ケーシングに装着され、かつ、前記カバーが前記閉位置に位置するときに、前記メモリ電気接点と電気的に接続する本体電気接点を備えるコネクタと、
前記カバーに支持される押圧部材であって、
前記カバーが前記開位置と前記閉位置とを移動するときに、前記カバーが前記開位置から前記閉位置へ向かう方向に前記コネクタを押圧する押圧位置と、
前記カバーが前記閉位置に位置し、かつ、前記現像カートリッジが前記離間部材により前記接触位置と前記離間位置との間で移動するときに、前記カバーに対して前記コネクタが移動可能なように、前記コネクタに対する押圧を解除する押圧解除位置と、
の間を移動可能な押圧部材と、
を備えることを特徴とする、画像形成装置。
【請求項２】
前記押圧部材は、前記カバーが前記閉位置から開位置へ移動するときに、前記押圧解除位置から前記押圧位置へ移動することを特徴とする、請求項１に記載の画像形成装置。
【請求項３】
前記押圧部材は、前記カバーが前記閉位置に位置しているときに、前記押圧位置から前記押圧解除位置へ移動することを特徴とする、請求項２に記載の画像形成装置。
【請求項４】
前記カバーに支持され、前記押圧部材を前記押圧位置から前記押圧解除位置へ移動させるための第１カムであって、前記押圧部材が前記押圧位置に位置する第１位置と、前記押圧部材が前記押圧解除位置に位置する第２位置との間を移動可能な第１カムを備えることを特徴とする、請求項１〜３のいずれか一項に記載の画像形成装置。
【請求項５】
前記カバーに支持される第１付勢部材であって、前記第１カムを前記第２位置から前記第１位置へ向かう方向に付勢する第１付勢部材を備えることを特徴とする、請求項４に記載の画像形成装置。
【請求項６】
前記押圧部材を前記押圧解除位置から前記押圧位置に向かう方向に付勢する第２付勢部材を備えることを特徴とする、請求項１〜５のいずれか一項に記載の画像形成装置。
【請求項７】
前記カバーに支持され、かつ、前記コネクタを支持するホルダであって、前記カバーが前記開位置から前記閉位置へ移動する方向と直交する方向に移動可能に構成されるホルダを備えることを特徴とする、請求項１〜６のいずれか一項に記載の画像形成装置。
【請求項８】
前記ホルダは、前記押圧部材を支持することを特徴とする、請求項７に記載の画像形成装置。
【請求項９】
前記ホルダに支持され、前記押圧部材を前記押圧解除位置から前記押圧位置に向かう方向に付勢する第２付勢部材を支持することを特徴とする、請求項８に記載の画像形成装置。
【請求項１０】
前記第２付勢部材は、一端が前記ホルダに当接し、他端が前記押圧部材に当接していることを特徴とする、請求項９に記載の画像形成装置。
【請求項１１】
前記ホルダは、前記コネクタの移動方向に延びる長穴を有し、
前記コネクタは、前記長穴に嵌まるボスを有することを特徴とする、請求項７〜１０のいずれか一項に記載の画像形成装置。
【請求項１２】
前記コネクタは、前記現像ローラが前記感光ドラムから離間する方向において、前記現像カートリッジと当接する面を有することを特徴とする、請求項１〜１１のいずれか一項に記載の画像形成装置。
【発明の詳細な説明】
【技術分野】
【０００１】
本発明は、画像形成装置に関する。
【背景技術】
【０００２】
従来、画像形成装置に対して着脱可能なカートリッジを備える画像形成装置が知られている。このような画像形成装置において、画像形成装置とカートリッジとの通信により、画像形成装置がカートリッジの情報を読み取ることが知られている。
【０００３】
例えば、画像形成装置に対して着脱可能なトナー容器と、画像形成装置とを通信させることが知られている。トナー容器は、トナー容器の情報を記憶したチップを備える。画像形成装置は、チップと接続される本体側コネクターを有する。そして、トナー容器が画像形成装置に装着されるときに、チップが本体側コネクターに接続される（下記特許文献１参照。）。
【先行技術文献】
【特許文献】
【０００４】
【特許文献１】特開２０１４−２２８６０８号公報
【発明の概要】
【発明が解決しようとする課題】
【０００５】
特許文献１のような画像形成装置において、画像形成装置に装着されているカートリッジのチップに対して、本体側コネクターを接続する場合がある。
【０００６】
この場合、本体側コネクターとチップとを接続するときに、本体側コネクターが移動してしまうと、本体側コネクターとチップとを確実に接続することが困難な場合がある。
【０００７】
そこで、本開示の目的は、本体電極とカートリッジ電極とを確実に電気的に接続することができる画像形成装置を提供することにある。
【課題を解決するための手段】
【０００８】
本発明の画像形成装置は、開口を有する本体ケーシングと、カバーと、感光ドラムと、現像カートリッジと、離間部材と、コネクタと、押圧部材と、を備える。カバーは、開口を開放する開位置と、開口を閉鎖する閉位置との間を移動可能である。現像カートリッジは、現像ローラと、メモリ電気接点を有する記憶媒体と、を備え、開口を介して本体ケーシングに着脱可能である。
【０００９】
離間部材は、現像カートリッジが本体ケーシングに装着され、かつ、カバーが閉位置に位置しているときに、現像ローラが感光ドラムに接触する接触位置と、現像ローラが感光ドラムから離間する離間位置との間で、現像カートリッジを移動させるように構成される。コネクタは、カバーに支持される。コネクタは、現像カートリッジが本体ケーシングに装着され、かつ、カバーが閉位置に位置するときに、メモリ電気接点と電気的に接続する本体電気接点を備える。
【００１０】
押圧部材は、カバーに支持される。押圧部材は、カバーが開位置と閉位置とを移動するときに、カバーが開位置から閉位置へ向かう方向にコネクタを押圧する押圧位置と、カバーが閉位置に位置し、かつ、現像カートリッジが離間部材により接触位置と離間位置との間で移動するときに、カバーに対してコネクタが移動可能なように、コネクタに対する押圧を解除する押圧解除位置との間を移動可能である。
【００１１】
本発明の画像形成装置によれば、コネクタを、押圧部材によって接続方向へ押圧した状態で、接続解除位置ら接続位置へ移動させることができる。
【００１２】
そのため、コネクタの接続方向における移動を、押圧部材によって抑制することができる。
【００１３】
その結果、本体電極とカートリッジ電極とが電気的に接続されるときに、コネクタの移動を抑制して、本体電極とカートリッジ電極とを確実に電気的に接続することができる。
【００１４】
また、押圧部材は、画像形成動作中や画像形成動作の合間など、所定のタイミングで、押圧解除位置に移動し、コネクタに対する押圧を解除できる。
【００１５】
これにより、コネクタは、現像カートリッジとともに移動可能となる。
【００１６】
その結果、コネクタの本体電極と、現像カートリッジのカートリッジ電極との摩耗を抑制することができる。
【発明の効果】
【００１７】
本発明の画像形成装置は、本体電極とカートリッジ電極とを確実に電気的に接続することができる。
【図面の簡単な説明】
【００１８】
【図１】図１は、本発明の画像形成装置の一実施形態を示す概略構成図である。
【図２】図２は、図１に示す現像カートリッジの斜視図である。
【図３】図３は、図１に示すカバーの斜視図である。
【図４】図４Ａは、図３に示すコネクタの斜視図である。図４Ｂは、図４Ａに示すコネクタを別の方向から見た斜視図である。
【図５】図５は、図３に示すコネクタ、押圧部材、第１カムを示す斜視図である。
【図６】図６は、現像離間カムを有する離間機構を説明するための説明図である。
【図７】図７は、コネクタの移動を説明するための説明図であって、コネクタとＩＣチップとの接続が解除された状態を示す説明図である。
【図８】図８は、コネクタの移動を説明するための説明図であって、コネクタとＩＣチップとが接続された状態を示す説明図である。
【図９】図９は、現像カートリッジの接離動作を説明するための説明図であって、押圧部材が押圧解除位置に位置し、現像ローラと感光ドラムとが接触した状態を示す。
【図１０】図１０は、現像カートリッジの接離動作を説明するための説明図であって、押圧部材が押圧解除位置に位置し、現像ローラと感光ドラムとが離間した状態を示す。
【発明を実施するための形態】
【００１９】
１．画像形成装置の概略
図１に示すように、画像形成装置１は、画像形成部１００へ用紙を供給する給紙部２００と、給紙部２００から供給された用紙上に画像を形成する画像形成部１００と、画像形成部１００で画像が形成された用紙を排出する排紙部３００と、開口７Ａを有するとともに画像形成部１００を収容する本体ケーシング７と、開口７Ａを開閉するカバー８と、を備える。
【００２０】
カバー８は、開口７Ａを開放する開位置と、開口７Ａを閉鎖する閉位置との間を移動可能である。カバー８は、本体ケーシング７に回動可能に支持される一端部８Ａと、他端部８Ｂと、を有する。カバー８が閉位置に位置するときの一端部８Ａから他端部８Ｂへ向かう方向を所定方向と定義する。なお、開口７Ａは、本体ケーシング７の上方に形成されている。
【００２１】
画像形成部１００は、複数の現像カートリッジ２Ｋ，２Ｙ，２Ｍ，２Ｃと、複数の感光ドラム６Ｋ，６Ｙ，６Ｍ，６Ｃと、を備える。
【００２２】
複数の現像カートリッジ２Ｋ，２Ｙ，２Ｍ，２Ｃは、それぞれ、収容される現像剤の色が異なる以外、同じ構造を有する。そこで、以下の説明において、現像カートリッジ２Ｋの構造について説明する。現像カートリッジ２Ｋは、筐体４と、現像ローラ５とを備える。筐体４は、現像剤を収容可能である。筐体４は、中空の角筒形状を有する。現像ローラ５は、軸方向に延びる軸について回転可能である。軸方向は、所定方向と直交する。現像ローラ５は、筐体４の一端部に位置する。現像ローラ５は、円柱形状を有する。現像ローラ５の周面の一部は、筐体４の外側に露出している。
【００２３】
複数の感光ドラム６Ｋ，６Ｙ，６Ｍ，６Ｃは、対応する現像カートリッジ２Ｋ，２Ｙ，２Ｍ，２Ｃが異なる以外、同じ構造を有する。そこで、以下の説明において、現像カートリッジ２Ｋの構造について説明する。感光ドラム６Ｋは、軸方向に延びる軸について回転可能である。感光ドラム６Ｋは、ドラムカートリッジ３Ｋに設けられている。ドラムカートリッジ３Ｋには、現像カートリッジ２Ｋが装着可能である。感光ドラム６Ｋには、現像カートリッジ２Ｋがドラムカートリッジ３Ｋに装着されたときに、現像カートリッジ２Ｋの現像ローラ５が接触する。
【００２４】
現像カートリッジ２Ｋとドラムカートリッジ３Ｋは、カバー８が開位置に位置するときに、開口７Ａを介して、本体ケーシングに着脱可能である。
【００２５】
２．現像カートリッジの詳細
図２に示すように、現像カートリッジ２Ｋは、さらに、カップリング１２と、ギアカバー１３と、記憶媒体４１とを備える。
【００２６】
２．１  カップリング
カップリング１２は、現像カートリッジ２Ｋが本体ケーシング７に装着されたときに、本体ケーシング７に設けられる駆動源から駆動力を受ける。カップリング１２が受けた駆動力は、図示しないギア列を介して、現像ローラ５に伝達される。これにより、現像ローラ５が回転する。
【００２７】
２．２  ギアカバー１３
ギアカバー１３は、軸方向において、筐体４の側面に取り付けられる。ギアカバー１３は、カップリング１２の側面およびカップリング１２から現像ローラ５へ駆動力を伝達するギア列を被覆する。なお、カップリング１２の軸方向端部は、ギアカバー１３から露出する。ギアカバー１３は、現像カートリッジ２Ｋが後述する接触位置から離間位置へ向かう移動方向において、一端部と、他端部とを有する。他端部は、移動方向において、一端部よりも現像ローラ５から遠くに位置する。他端部は、移動方向において、端面１３Ａを有する。
【００２８】
３．３  記憶媒体４１
記憶媒体４１は、ＩＣチップである。記憶媒体４１は、ギアカバー１３の他端部の外表面に位置する。記憶媒体４１は、移動方向において、ギアカバー１３の端面１３Ａよりも現像ローラ５の近くに位置する。記憶媒体４１は、移動方向において、カップリング１２に対して現像ローラ５の反対側に位置する。記憶媒体４１は、移動方向に延びる。記憶媒体４１は、その表面に、移動方向に延びるメモリ電気接点４２を有する。記憶媒体４１は、現像カートリッジ２Ｋに関する情報を記憶する。現像カートリッジ２Ｋに関する情報は、例えば、現像カートリッジ２Ｋが収容する現像剤の色に関する情報、現像カートリッジ２Ｋが新品であるから旧品であるかに関する情報、現像カートリッジ２Ｋが印刷可能な用紙の枚数に関する情報などである。より具体的には、現像カートリッジ２Ｋが新品である場合、記憶媒体４１は、現像カートリッジ２Ｋがブラックの現像剤を収容しているという情報、現像カートリッジ２Ｋが新品であるという情報、および、現像カートリッジ２Ｋが印刷可能な用紙の枚数が、６０００枚であるという情報を記憶している。
【００２９】
３．画像形成装置の詳細
画像形成装置１は、さらに、離間部材３１と、コネクタ４３Ｋ，４３Ｙ，４３Ｍ，４３Ｃと、ホルダ４４Ｋ，４４Ｙ，４４Ｍ，４４Ｃと、押圧部材６１Ｋ，６１Ｙ，６１Ｍ，６１Ｃと、第２付勢部材６２Ｋ，６２Ｙ、６２Ｍ、６２Ｃと、第１カム６２と、第１付勢部材６９と、駆動列８０とを備えている。
３．１  離間部材
離間部材３１は、図６に示すように、現像カートリッジ２Ｋが本体ケーシング７に装着され、かつ、カバー８が閉位置に位置しているときに、現像ローラ５が感光ドラム６Ｋに接触する接触位置（図９参照）と、現像ローラ５が感光ドラム６Ｋから離間する離間位置（図１０参照）との間で、現像カートリッジ２Ｋを移動させるように構成される。以下、離間部材３１により現像カートリッジ２Ｋが移動される方向を、移動方向と定義する。移動方向は、軸方向および所定方向と交差する。詳しくは、移動方向は、軸方向と直交し、所定方向と交差する。移動方向は、現像ローラ５が感光ドラム６Ｋから離間する方向を含む。
【００３０】
離間部材３１は、本体ケーシング７の側壁に支持される。離間部材３１は、所定方向に延びるスライドカムである。離間部材３１は、所定方向の一端部において、複数のギア歯３０を備える。複数のギア歯３０は、所定方向において、並んで位置する。
【００３１】
３．２．コネクタ
コネクタ４３Ｋ，４３Ｙ，４３Ｍ，４３Ｃは、対応する現像カートリッジ２Ｋ，２Ｙ，２Ｍ，２Ｃが異なる以外、同じ構造を有する。そこで、以下の説明において、コネクタ４３Ｋの構造について説明する。
【００３２】
図３、図４Ａおよび図４Ｂに示すように、コネクタ４３Ｋは、画像形成装置１と現像カートリッジ２Ｋとを電気的に接続するためのコネクタである。コネクタ４３Ｋは、カバー８に支持される。コネクタ４３Ｋは、第１部分４５、第２部分４６、第３部分４７、本体電気接点４８、および、複数のボス４９を備える。
【００３３】
第１部分４５および第２部分４６は、所定方向において、互いに間隔を隔てて位置する。第１部分４５および第２部分４６は、移動方向に延びる。第３部分４７は、第１部分４５と第２部分４６とを連結する。第３部分４７は、所定方向に延びる。第３部分４７は、所定方向に延びる面４７Ａを有する。面４７Ａは、現像カートリッジ２Ｋが接触位置から離間位置へ移動するときに、移動方向において現像カートリッジ２Ｋと当接する。第３部分４７は、第１部分４５および第２部分４６に連続する。第１部分４５は、所定方向において、第２部分４６に向かい合う面４５Ａを有する。
【００３４】
本体電気接点４８は、現像カートリッジ２Ｋが本体ケーシング７に装着され、かつ、カバー８が閉位置に位置する時に、メモリ電気接点４２（図２）と電気的に接続する。本体電気接点４８は、第１部分４５に支持される。本体電気接点４８は、所定方向において、第１部分４５の面４５Ａから第２部分４６へ向かって突出する。
【００３５】
複数のボス４９は、軸方向において、コネクタ４３Ｋの外面から突出する。複数のボス４９は、軸方向において、コネクタ４３Ｋの一方側の外面に１つ、コネクタ４３Ｋの他方側の外面に２つ、設けられる。
【００３６】
３．３  ホルダ
ホルダ４４Ｋ，４４Ｙ，４４Ｍ，４４Ｃは、支持するコネクタ４３Ｋ，４３Ｙ，４３Ｍ，４３Ｃが異なる以外、同じ構造を有する。そこで、以下の説明において、ホルダ４４Ｋの構造について説明する。
【００３７】
ホルダ４４Ｋは、コネクタ４３Ｋを支持する。ホルダ４４Ｋは、カバー８に支持される。詳しくは、カバー８は、開口５０を有する。ホルダ４４Ｋは、開口５０に挿入されている。これにより、コネクタ４３Ｋは、ホルダ４４Ｋを介して、カバー８に支持される。
【００３８】
ホルダ４４Ｋは、筒部５１と、突出部５３と、複数の長穴５２とを有する。
【００３９】
筒部５１は、移動方向に延びる。筒部５１は、角筒形状を有する。詳しくは、筒部５１は、開口５４を有する。開口５４は、筒部５１を移動方向に貫通する。開口５４内には、コネクタ４３Ｋの第３部分４７が位置する。筒部５１は、複数の開口５０のうちの１つに挿通されている。筒部５１は、軸方向および移動方向において、開口５０の内周面との間に間隔を有する。これにより、ホルダ４４Ｋは、カバー８に対して、軸方向および移動方向に移動可能である。
【００４０】
突出部５３は、筒部５１の外周面から、軸方向および移動方向に突出する。突出部５３は、開口５０の縁に接触している。これにより、ホルダ４４Ｋは、カバー８に支持される。
【００４１】
複数の長穴５２は、軸方向において、ホルダ４４Ｋの周壁に位置する。複数の長穴５２は、軸方向において、ホルダ４４Ｋの周壁を貫通する。複数の長穴５２は、軸方向において、一方側の周壁に１つ、他方側の周壁に２つ、設けられる。複数の長穴５２は、移動方向に延びる。すなわち、複数の長穴５２は、コネクタ４３が移動する方向に延びる。複数の長穴５２のそれぞれには、複数のボス４９の１つが嵌まっている。これにより、コネクタ４３Ｋは、ホルダ４４Ｋに対して、移動方向に移動可能である。
【００４２】
３．４  押圧部材
押圧部材６１Ｋ，６１Ｙ，６１Ｍ，６１Ｃは、図６に示すように、押圧するコネクタ４３Ｋ，４３Ｙ，４３Ｍ，４３Ｃが異なる以外、同じ構造を有する。そこで、以下の説明において、押圧部材６１Ｋの構造について説明する。
【００４３】
押圧部材６１Ｋは、コネクタ４３Ｋを、カバー８が開位置から閉位置へ移動する方向へ押圧するための部材である。押圧部材６１Ｋは、カバー８に支持される。押圧部材６１Ｋは、移動方向において、コネクタ４３Ｋと第１カム６２との間に位置する。押圧部材６１Ｋは、押圧位置（図８参照）と、押圧解除位置（図９参照）との間を移動可能である。押圧位置は、カバー８が開位置と閉位置とを移動するときに、カバー８が開位置から閉位置へ向かう方向に、押圧部材６１Ｋがコネクタ４３Ｋを押圧する位置である。押圧解除位置は、カバー８が閉位置に位置し、かつ、現像カートリッジ２Ｋが離間部材３１により接触位置と離間位置との間で移動するときに、カバー８に対してコネクタ４３Ｋが移動可能なように、押圧部材６１Ｋによるコネクタ４３Ｋに対する押圧を解除する位置である。
【００４４】
押圧部材６１Ｋは、回転軸６３と、押圧部６４と、当接部６５とを備える。
【００４５】
回転軸６３は、軸方向に延びる。回転軸６３は、ホルダ４４Ｋの筒部５１（図４Ａ参照）に、回転可能に支持される。すなわち、ホルダ４４は、押圧部材６１Ｋを支持する。これにより、押圧部材６１Ｋは、ホルダ４４Ｋを介して、カバー８に支持される。また、押圧部材６１Ｋは、回転軸６３について、押圧位置と、押圧解除位置との間を回動可能となる。
【００４６】
押圧部６４は、回転軸６３の径方向において、回転軸６３から延びる。押圧部６４は、ホルダ４４Ｋの筒部５１内に位置する。押圧部６４は、第３部分４７に向かい合う。
【００４７】
当接部６５は、回転軸６３の径方向において、押圧部６４とは反対側へ向かって、回転軸６３から延びる。
【００４８】
図８に示すように、押圧部材６１Ｋが押圧位置に位置するとき、押圧部６４は、コネクタ４３Ｋの第３部分４７に当接し、第３部分４７を、カバー８が開位置から閉位置へ移動する方向へ押圧する。これにより、押圧部材６１Ｋが押圧位置に位置するとき、押圧部材６１Ｋは、コネクタ４３Ｋを、カバー８が開位置から閉位置へ移動する方向へ押圧する。なお、押圧部材６１Ｋは、コネクタ４３Ｋを、少なくとも、カバー８が開位置から閉位置へ移動する方向に向かう成分を含む方向へ押圧すればよい。例えば、押圧部材６１Ｋは、コネクタ４３Ｋを、カバー８が開位置から閉位置へ移動する方向に対して傾斜する方向へ押圧してもよい。
【００４９】
また、図９に示すように、押圧部材６１Ｋが押圧解除位置に位置するとき、押圧部６４は、コネクタ４３Ｋの第３部分４７から離間し、コネクタ４３Ｋに対する押圧を解除する。
【００５０】
押圧部材６１Ｋは、カバー８が閉位置から開位置へ移動するときに、押圧解除位置から押圧位置へ移動する。また、押圧部材６１Ｋは、カバー８が閉位置に位置しているときに、押圧位置から押圧解除位置へ移動する。
【００５１】
３．５  第２付勢部材
第２付勢部材６２Ｋ，６２Ｙ、６２Ｍ、６２Ｃは、図５に示すように、それぞれ、同じ構造を有する。そこで、以下の説明において、第２付勢部材６２Ｋの構造について説明する。
【００５２】
第２付勢部材６６Ｋは、押圧部材６１Ｋを、押圧解除位置から押圧位置に向かう方向に付勢するための部材である。第２付勢部材６６Ｋは、ホルダ４４Ｋに支持される。第２付勢部材６６Ｋは、コイルばねである。第２付勢部材６６Ｋは、押圧部材６１Ｋの回転軸６３の周りに位置する。第２付勢部材６６Ｋは、一端がホルダ４４Ｋに当接し、他端が押圧部材６１Ｋに当接する。
【００５３】
３．６  第１カム６２
第１カム６２は、図５に示すように、押圧部材６１Ｋ，６１Ｙ，６１Ｍ，６１Ｃを、押圧位置から押圧解除位置に移動させるための部材である。第１カム６２は、移動方向において、押圧部材６１Ｋ，６１Ｙ，６１Ｍ，６１Ｃに対して、コネクタ４３Ｋ，４３Ｙ，４３Ｍ，４３Ｃの反対側に位置する。第１カム６２は、カバー８に支持される。第１カム６２は、所定方向に延びる。第１カム６２は、移動方向において、第１面６２Ａと、第２面６２Ｂと、凹部６７Ｋ，６７Ｙ，６７Ｍ，６７Ｃとを有する。第１面６２Ａは、移動方向において、押圧部材６１Ｋ，６１Ｙ，６１Ｍ，６１Ｃに向かい合う。第２面６２Ｂは、移動方向において、第１面６２Ａに対して、押圧部材６１Ｋ，６１Ｙ，６１Ｍ，６１Ｃの反対側に位置する。凹部６７Ｋ、６７Ｙ、６７Ｍ、６７Ｃは、それぞれ、移動方向において、第１面６２Ａから第２面６２Ｂへ向かって凹む。
【００５４】
第１カム６２は、所定方向において、押圧部材６１Ｋが押圧位置に位置する第１位置（図８参照）と、押圧部材６１Ｋが押圧解除位置に位置する第２位置（図９参照）との間を移動可能である。第１カム６２が第１位置に位置するとき、押圧部材６１Ｋの当接部６５は、凹部６７Ｋに位置する。押圧部材６１Ｋは、第２付勢部材６６Ｋの付勢力によって、押圧位置に位置する。すなわち、第１カム６２は、第１位置に位置するとき、押圧部材６１Ｋが押圧位置に位置することを許容する。また、第１カム６２が第２位置に位置するとき、押圧部材６１Ｋの当接部６５は、第１カム６２の第１面６２Ａに当接する。これにより、押圧部材６１Ｋは、第２付勢部材６６Ｋの付勢力に抗して、押圧解除位置に位置する。すなわち、押圧部材６１Ｋは、第１カム６２から駆動力を受けて、押圧位置から押圧解除位置へ移動する。
【００５５】
第１カム６２は、さらに、複数のギア歯６０（図６参照）と、突出部６８とを備える。
【００５６】
複数のギア歯６０は、所定方向において、第１カム６２の一端に位置する。複数のギア歯６０は、所定方向において、並んで位置する。
【００５７】
突出部６８は、所定方向において、第１カム６２の他端に位置する。突出部６８は、第１カム６２の第２面６２Ｂから、第１面６２Ａとは反対側へ突出する。
【００５８】
３．７  第１付勢部材
第１付勢部材６９は、図５に示すように、引張ばねである。第１付勢部材６９は、一端が突出部６８に引っ掛けられており、他端がカバー８に固定されている。すなわち、第１付勢部材６９は、カバー８に支持されている。これにより、第１付勢部材６９は、第１カム６２を、第２位置から第１位置へ向かう方向に付勢する。
【００５９】
３．８  駆動列８０
駆動列８０は、図６に示すように、離間部材３１に駆動力を伝達するためのものである。
【００６０】
駆動列８０は、離間部材３１のギア歯３０に噛み合う第１ギア８１と、第１カムのギア歯６０に噛み合う第２ギア８２と、第１ギア８１に噛み合うギア列８３とを備える。第１ギア８１には、画像形成装置１内の駆動源８４から駆動力が入力される。ギア列８３は、複数のアイドルギア８５から構成されている。第２ギア８２は、カバー８に支持されている。第２ギア８２は、カバー８が閉位置に位置するときに、ギア列８３に噛み合う。これにより、第１カム６２は、カバー８が閉位置に位置するときに、駆動列８０から駆動力を受けることができる。第２ギア８２は、カバー８が閉位置から開位置に位置するときに、カバー８とともに移動し、ギア列８３から離間する。これにより、第１カム６２は、カバー８が閉位置に位置するときに、駆動列８０から駆動力を受けることができる。これにより、カバー８が開位置に位置するときに、駆動列８０から第１カム６２に対する駆動伝達が解除される。
【００６１】
また、離間部材３１は、駆動列８０の第１ギア８１から駆動力を受け取り、解除位置、カラーモード位置、モノクロモード位置および全離間モード位置の間を、この順で移動可能である。解除位置は、本体ケーシング７に対して現像カートリッジ２Ｋ，２Ｙ，２Ｍ，２Ｃを着脱するときの位置である。カラーモード位置は、画像形成装置１がカラー画像を印刷するときの位置である。モノクロモード位置は、画像形成装置１がモノクロ画像を印刷するときの位置である。全離間モード位置は、全ての現像ローラ５が感光ドラムから離間する位置である。
【００６２】
４．コネクタと記憶媒体との接続または接続解除
以下、図７および図８を参照して、コネクタ４３Ｋと記憶媒体４１との接続または接続解除について説明する。
【００６３】
４．１  コネクタと記録媒体との接続
図６に示すように、カバー８が開位置に位置するときには、駆動列８０から第１カム６２への駆動伝達が解除されている。また、図７に示すように、第１カム６２は、第１付勢部材６９の付勢力により、第１位置に位置する。また、押圧部材６１Ｋは、第２付勢部材６６Ｋの付勢力により、押圧位置に位置する。これにより、コネクタ４３Ｋは、押圧部材６１Ｋによって、カバー８が開位置から閉位置へ移動する方向に押圧されている。
【００６４】
そして、コネクタ４３Ｋは、押圧部材６１Ｋによって押圧された状態で、カバー８の開位置から閉位置への移動に伴って、カバー８とともに移動する。
【００６５】
図８に示すように、カバー８が閉位置に位置するとき、コネクタ４３Ｋの第３部分４７の面４７Ａは、移動方向において、ギアカバー１３の端面１３Ａと接触する。また、メモリ電気接点４２は、所定方向において、第１部分４５と第２部分４６との間に位置する。本体電気接点４８は、所定方向において、メモリ電気接点４２と向かい合う。本体電気接点４８は、メモリ電気接点４２に接触する。これにより、本体電気接点４８は、メモリ電気接点４２と電気的に接続される。
【００６６】
また、カバー８が閉位置に位置すると、第１カム６２と駆動列８０（図６参照）とが、駆動伝達可能となる。
【００６７】
４．２  コネクタに対する押圧解除
カバー８が閉位置に位置した後、図９に示すように、第１カム６２は、駆動列８０（図６参照）からの駆動力によって、第１位置から第２位置に移動する。すると、押圧部材６１Ｋは、押圧位置から押圧解除位置へ移動し、コネクタ４３Ｋに対する押圧を解除する。これにより、コネクタ４３Ｋは、移動方向において移動可能となる。
【００６８】
一方、図１０に示すように、現像カートリッジ２Ｋは、離間部材３１（図６参照）により、離間位置に位置される。すなわち、現像ローラ５は、感光ドラム６Ｋから離間する。
【００６９】
このとき、コネクタ４３Ｋは、ギアカバー１３の端面１３Ａによって、現像ローラ５が感光ドラム６Ｋから離間する方向へ押圧される。
【００７０】
すると、コネクタ４３Ｋは、本体電気接点４８がメモリ電気接点４２に電気的に接続された状態で、現像カートリッジ２Ｋとともに移動する。
【００７１】
４．３  コネクタと記録媒体との接続解除
そして、図７および図８に示すように、カバー８が閉位置から開位置へ移動することにより、コネクタ４３Ｋは、カバー８とともに移動する。カバー８が開位置に位置するとき、本体電気接点４８は、移動方向において、メモリ電気接点４２から離間している。これにより、本体電気接点４８とメモリ電気接点４２との電気的な接続は、解除される。
【００７２】
また、カバー８が閉位置から開位置へ移動すると、第１カム６２と駆動列８０（図６参照）との駆動伝達が、解除される。
【００７３】
すると、第１カム６２は、第１付勢部材６９の付勢力により、第２位置から第１位置へ移動する。また、押圧部材６１Ｋは、第２付勢部材６６Ｋの付勢力により、押圧解除位置から押圧位置に位置する。これにより、コネクタ４３Ｋは、押圧部材６１Ｋによって、カバー８の開位置から閉位置への移動方向に押圧される。
【００７４】
７．作用効果
この画像形成装置１は、図７および図８に示すように、コネクタ４３Ｋを、押圧部材６１Ｋによって、カバー８の開位置から閉位置への移動方向へ押圧した状態で、カバー８を開位置から閉位置への移動へ移動させることができる。
【００７５】
そのため、カバー８の開位置から閉位置への移動方向におけるコネクタ４３Ｋの移動を、押圧部材６１Ｋによって抑制することができる。
【００７６】
その結果、本体電気接点４８とメモリ電気接点４２とが電気的に接続されるときに、コネクタ４３Ｋの移動を抑制して、本体電気接点４８とメモリ電気接点４２とを確実に電気的に接続することができる。
【００７７】
また、押圧部材６１Ｋは、図９に示すように、カバー８の閉位置への移動後に、押圧解除位置に移動し、コネクタ４３Ｋに対する押圧を解除できる。これにより、図１０に示すように、コネクタ４３Ｋは、現像カートリッジ２Ｋとともに移動可能となる。その結果、コネクタ４３Ｋの本体電気接点４８と、現像カートリッジ２Ｋのメモリ電気接点４２との摩耗を抑制することができる。
【００７８】
また、コネクタ４３Ｋは、カバー８が閉位置に位置しているときに、第３部分４７の面４７Ａにおいて、ギアカバー１３の端面１３Ａと当接する。
【００７９】
これにより、コネクタ４３Ｋは、ギアカバー１３の端面１３Ａによって押圧されることにより、現像カートリッジ２Ｋとともに移動可能である。
【００８０】
また、図７および図８に示すように、第１カム６２は、カバー８が閉位置から開位置へ移動することにより、駆動列８０との駆動伝達が解除され、第１付勢部材６９の付勢力によって、第２位置から第１位置へ移動する。これにより、カバー８が開位置に位置するときに、第１カム６２を確実に第１位置に位置させて、押圧部材６１Ｋを、確実に押圧位置に位置させることができる。
【符号の説明】
【００８１】
１        画像形成装置
２Ｃ      現像カートリッジ
２Ｋ      現像カートリッジ
２Ｍ      現像カートリッジ
２Ｙ      現像カートリッジ
５        現像ローラ
６Ｃ      感光ドラム
６Ｋ      感光ドラム
６Ｍ      感光ドラム
６Ｙ      感光ドラム
７        本体ケーシング
７Ａ      開口
８        カバー
３１      離間部材
４２      メモリ電気接点
４３Ｃ    コネクタ
４３Ｋ    コネクタ
４３Ｍ    コネクタ
４３Ｙ    コネクタ
４４Ｃ    ホルダ
４４Ｋ    ホルダ
４４Ｍ    ホルダ
４４Ｙ    ホルダ
４７Ａ    面
４８      本体電気接点
４９      ボス
５２      長穴
６１Ｃ    押圧部材
６１Ｋ    押圧部材
６１Ｍ    押圧部材
６１Ｙ    押圧部材
６２      第１カム
６６Ｃ    第２付勢部材
６６Ｋ    第２付勢部材
６６Ｍ    第２付勢部材
６６Ｙ    第２付勢部材
８０      駆動列
【図１】
2017181882.tif 000003
【図２】
2017181882.tif 000004
【図３】
2017181882.tif 000005
【図４】
2017181882.tif 000006
【図５】
2017181882.tif 000007
【図６】
2017181882.tif 000008
【図７】
2017181882.tif 000009
【図８】
2017181882.tif 000010
【図９】
2017181882.tif 000011
【図１０】
2017181882.tif 000012